(57)【特許請求の範囲】
【請求項１】
建物側の一部分に固定される筐体と、該筐体の側面において先端部が建物の外部に張り出している支持用のブラケットとでなる固定装置であって、
前記ブラケットの先端部に架設されている横架材の上面には、この固定装置が支持する外部養生装置から突出されている腕部の係合部に、着脱自在に嵌合するピン部材若しくはピン用穴が設けられ、前記ピン部材若しくはピン用穴に調芯用のテーパ部が設けられており、
前記建物側の一部分である柱を囲繞する筐体は、該柱の側方から差し込むように平面視コ字型に形成された筐体の本体部と、該筐体の本体部においてコ字型で開口している一側面を閉じるようにして上・下位置に横架される繋ぎ梁と、前記筐体の本体部における側面から外部に張り出したブラケットの先端部に横架される嵌合用ブラケットとで構成され、
前記上下の繋ぎ梁と前記嵌合用ブラケットとは、前記筐体の本体部に対して着脱自在にされていること、
を特徴とする自昇降式外部養生装置用の固定装置。
【請求項２】
筐体の本体部は、筐体の下部にキャスターが設けられて移動自在であるとともに、前記キャスターの近傍には当該キャスターの上下位置を変更させることでキャスターの移動機能の有無を変更するスペーサが設けられていること、
を特徴とする請求項１に記載の自昇降式外部養生装置用の固定装置。
【請求項３】
建物側の一部分である柱に囲繞して固定される筐体と、該筐体の一側面において端部が建物の外部に張り出している支持用のブラケットとでなり下部に設けたキャスターで移動自在な固定装置を前記柱に設置する方法であって、
前記柱の側方から差し込むように平面視コ字型に形成された筐体の本体部を前記柱に側方から移動させて差し込み、
その後、該筐体の本体部においてコ字型で開口している一側面を閉じるように当該筐体の本体部の上・下位置に繋ぎ梁を横架し、前記筐体の本体部における側面から外部に張り出した前記支持用のブラケットの先端部間に、着脱自在に嵌合するピン部材若しくはピン用穴が設けられた嵌合用ブラケットを横架すること、
を特徴とする外部養生装置用固定装置の設置方法。
【発明の詳細な説明】
【技術分野】
【０００１】
本発明は、高層ビル，超高層ビルの解体工事に使用される自昇降式外部養生装置用の固定装置及びその設置方法と、自昇降式外部養生装置に関するものである。
【背景技術】
【０００２】
従来、高層ビルや超高層ビルの新構築若しくは解体の工事において、外壁を養生する自昇降式の外部養生装置が知られている。例えば、特許文献１に記載されているように、建物の外周面を順次養生するとともに外部足場を備える養生部材と、該養生部材に建物の高さ方向に取り付けられたガイド部材と、建物の構造体に着脱自在で昇降時には折り畳み可能な固定手段とを備え、ガイド部材の高さは建物の三層以上の高さとし、一つのガイド部材に対して三つ以上の前記固定手段を連結し、下端の固定手段はガイド部材の下端部に固定し、他の固定手段はこれをガイド部材に摺動自在に連結すると共に、ガイド部材に対して昇降させる昇降手段で、前記下端部より高い位置に独立して動作可能に連結するものである。
【０００３】
また、特許文献２に記載されているように、自昇型養生ネットおよび自昇型外部足場は、高層建物の上下方向に少なくとも３階分に亘ってガイド溝を有して形成され養生ネット又は外部足場を支持する支持手段を有してなる昇降ガイド枠体と、前記ガイド溝に沿ってスライド自在な昇降基台と、昇降基台を支持して先端部が躯体の一部に係止されるロック手段と、昇降ガイド枠体の上下２箇所に設けられた回動自在なプーリーと、前記プーリーに巻回される索条と、前記プーリーを回転駆動させる駆動手段とでなるものである。
【先行技術文献】
【特許文献】
【０００４】
【特許文献１】特開２００２−１１５３９３号公報
【特許文献２】特開平１１−４４０９５号公報
【発明の概要】
【発明が解決しようとする課題】
【０００５】
しかし、従来の自昇降式外部養生装置用の固定装置においては、図１５に示すように、建物側から張り出したブラケット材等に水平方向または鉛直方向にもボルトで固定する方法である。従ってボルト穴の位置合わせの作業に労力が掛かるとともに、ボルトなどの落下のおそれもある。また、建物側から張り出すブラケット材等は、図１６に示すように、柱などにブラケット固定用部材を溶接で取り付けたり、柱を締め付け固定するためにブロックを取り付けて固定している。従って、溶接・固定作業に多くの労力が掛かるとともに、工期が長期化する。また、溶接による固着方法は作業員の熟練度に左右されるので、現場溶接の信頼性において問題がある。本発明に係る自昇降式外部養生装置用の固定装置とその設置方法、自昇降式外部養生装置は、このような課題を解決するために提案されたものである。
【課題を解決するための手段】
【０００６】
本発明に係る自昇降式外部養生装置用の固定装置の上記課題を解決して目的を達成するための要旨は、建物側の一部分に固定される筐体と、該筐体の側面において先端部が建物の外部に張り出している支持用のブラケットとでなる固定装置であって、前記ブラケットの先端部に架設されている横架材の上面には、この固定装置が支持する外部養生装置から突出されている腕部の係合部に、着脱自在に嵌合するピン部材若しくはピン用穴が設けられ、前記ピン部材若しくはピン用穴に調芯用のテーパ部が設けられており、前記建物側の一部分である柱を囲繞する筐体は、該柱の側方から差し込むように平面視コ字型に形成された筐体の本体部と、該筐体の本体部においてコ字型で開口している一側面を閉じるようにして上・下位置に横架される繋ぎ梁と、前記筐体の本体部における側面から外部に張り出したブラケットの先端部に横架される嵌合用ブラケットとで構成され、前記上下の繋ぎ梁と前記嵌合用ブラケットとは、前記筐体の本体部に対して着脱自在にされていることである。
【０００８】
前記筐体の本体部は、筐体の下部にキャスターが設けられて移動自在であるとともに、前記キャスターの近傍には当該キャスターの上下位置を変更させることでキャスターの移動機能の有無を変更するスペーサが設けられていることを含むものである。
【０００９】
本発明に係る前記固定装置の設置方法の要旨は、 建物側の一部分である柱に囲繞して固定される筐体と、該筐体の一側面において先端部が建物の外部に張り出している支持用のブラケットとでなり下部に設けたキャスターで移動自在な固定装置を前記柱に設置する方法であって、
前記柱の側方から差し込むように平面視コ字型に形成された筐体の本体部を前記柱に側方から移動させて差し込み、
その後、該筐体の本体部においてコ字型で開口している一側面を閉じるように当該筐体の本体部の上・下位置に繋ぎ梁を横架し、前記筐体の本体部における側面から外部に張り出した前記支持用のブラケットの先端部間に、着脱自在に嵌合するピン部材若しくはピン用穴が設けられた嵌合用ブラケットを横架することである。
【発明の効果】
【００１２】
本発明の自昇降式外部養生装置用の固定装置及び設置方法によれば、前記固定装置の嵌合用ブラケットに設けた嵌合用のピン部材若しくはピン用穴により、前記嵌合用ブラケットと自昇降式外部養生装置の腕部との係合による脱着が、迅速に行えて労力が掛からず、ボルト接合しないので接続作業工期も短縮される。更に、テーパ部を有するピン部材とピン用穴により位置合わせが自動で調芯されるので、迅速に定着されて工期短縮となる。
【００１３】
固定装置の支持用ブラケットや嵌合用ブラケット、筐体の本体部を構成する鋼材同士をボルト接合またはピン接合することで、前記支持ブラケットの機構が明快で力の負担がしやすくなり、柱の大きさの変更に追従して容易に調整することができるようになる。前記嵌合用ブラケットや上・下位置の繋ぎ梁の脱着が容易になり、設置方法が簡易になって柱への脱着工期が短縮される。
【００１４】
自昇降式外部養生装置の腕部において、位置固定手段があることで養生足場と固定装置との係合の脱着時におけるピンの曲がりなどを防止することができる。また、腕部にテーパ部を設けることで、固定装置との引掛かりを防ぎ、降りられないのを防止することができるという効果を奏するものである。
【図面の簡単な説明】
【００１５】
【図１】本発明に係る自昇降式外部養生装置用の固定装置１における筐体の本体部１ｂの平面図（Ａ）、側面図（Ｂ）、正面図（Ｃ）、背面図（Ｄ）である。
【図２】同固定装置１における上部の繋ぎ梁４の平面図及び正面図（Ａ）、下部の繋ぎ梁５の正面図と側面図（Ｂ）、図１（Ｂ）のＡ−Ａ線に沿った断面図（Ｃ）である。
【図３】同固定装置１における嵌合用ブラケット６の平面図（Ａ）、正面図（Ｂ）、側面図（Ｃ）、Ｂ−Ｂ線に沿った拡大断面図（Ｄ）である。
【図４】同嵌合用ブラケット６に取り付ける２種類のピン部材６ａ，６ｂのそれぞれの正面図（Ａ），（Ｂ）である。
【図５】同固定装置１における筐体の本体部１ｂの下部のキャスター６ｆ部分を示す平面図（Ａ）と、一部正面図（Ｂ）とである。
【図６−Ａ】固定装置１を柱３に取り付けて、筐体１ａに荷重がかかる場合の抵抗を示す説明図（Ａ），（Ｂ）である。
【図６−Ｂ】同固定装置１を柱３に囲繞させた状態の隙間調整する方法を示す平面図（Ａ），（Ｂ）である。
【図６−Ｃ】固定装置１の筐体の本体部１ｂを円形状の丸柱３に固定する実施例を示す平面図（Ａ）と、Ａ−Ａ線に沿った断面図（Ｂ）とである。
【図６−Ｄ】同固定装置１の筐体の本体部１ｂをスラブ下の梁１７に固定する実施例を示す平面図（Ａ）と、中央縦断面図（Ｂ）とである。
【図６−Ｅ】同固定装置１の筐体の本体部１ｂをスラブ１６ａに固定する実施例を示す平面図（Ａ）と、中央縦断面図（Ｂ）と、更に、スラブ下にスラブ受け金物２０を使用した実施例の中央縦断面図（Ｃ）とである。
【図７】自昇降式外部養生装置２であって、外フレーム２ｃを降下させた後の状態の正面図（Ａ）、内フレーム２ｄを降下させた後の状態の正面図（Ｂ）である。
【図８】同自昇降式外部養生装置２であって、外フレーム２ｃを降下させた後の状態の側面図（Ａ）、内フレーム２ｄを降下させた後の状態の側面図（Ｂ）である。
【図９−Ａ】前記固定装置１と自昇降式外部養生装置２の使用状態における平面図（Ａ）、側面図（Ｂ）である。
【図９−Ｂ】自昇降式外部養生装置２の嵌合部におかる回転ブロック２ｋ及び腕部２ａ（２ｂ）を拡大して示す側面図である。
【図９−Ｃ】固定装置１と自昇降式外部養生装置２との嵌合する様子を示す側面から見た説明図である。
【図１０】固定装置１と自昇降式外部養生装置２との嵌合する様子を示す側面から見た説明図である。
【図１１】自昇降システム１５の構成を概略的に示す説明図である。
【図１２】自昇降システム１５における操作ＧＰ（グラフィックパネル）画面の項目内容を示す説明図である。
【図１３−Ａ】自昇降システム１５による自昇降式外部養生装置２の操作例を示す説明図である。
【図１３−Ｂ】固定装置１と自昇降式外部養生装置２との嵌合部において、嵌合脱着時における腕部２ａ（２ｂ）が回転した場合にピン部材６ｂを曲げることがある様子を示す説明図である。
【図１３−Ｃ】固定装置１と自昇降式外部養生装置２との嵌合部において、嵌合時の曲げが生じないようにピン部材６ａ，６ｂの根元までピン用穴２ｊが嵌合している様子を示す説明用断面図（Ａ），（Ｂ）である。
【図１４−Ａ】自昇降システム１５による自昇降式外部養生装置２の降下する様子を示す説明図である。
【図１４−Ｂ】操作ＧＰ（グラフィックパネル）画面における、自昇降式外部養生装置２の昇降の状況を示すボタン等の表示を示す説明図である。
【図１５】従来例に係る固定装置と自昇降式外部養生装置との嵌合の一部の状態を示す平面図（Ａ），側面図（Ｂ）である。
【図１６】同他の従来例に係る固定装置のブラケットと建物側の柱との係合状態の一部を示す側面図（Ａ）と、固定装置と柱との締め付け状態を示す側面図（Ｂ）である。
【発明を実施するための形態】
【００１６】
本発明に係る自昇降式外部養生装置用の固定装置１と自昇降式外部養生装置２とは、図１乃至図５に示すように、連結部の係合において、テーパ状のピン部材を使用して、自動調芯させて行うものである。また、固定装置の嵌合用ブラケットや張り出し部の組立・解体をボルト接合若しくはピン接合等により着脱自在で容易に行うものである。
【実施例１】
【００１７】
前記自昇降式外部養生装置用の固定装置１は、その構成を説明すると、図１に示すように、建物側の一部分である矩形状の柱３（図６−Ａ参照）、若しくは円形状の丸柱３（図６−Ｃ参照）、スラブ下の梁１７（図６−Ｄ参照）、スラブ１６ａ（図６−Ｅ参照）に、囲繞する等して、若しくは、ＰＣ鋼棒等で締付けるとともに後施工アンカーを打込む等して、固定される筐体１ａがある。なお、この実施例では、前記矩形状の柱３を代表させて以下に説明する。
【００１８】
前記筐体１ａの左右側面において先端部１ｃが、使用状態において建物の外部に張り出している支持用のブラケット１ｄと、該ブラケット１ｄの先端部１ｃと前記筐体１ａの下部とを連結する補助斜材１ｅとでなる。
【００１９】
矩形状の柱３を囲繞する前記筐体１ａは、該柱３の側方から差し込むように、例えば、図１（Ａ）に示すように、Ｈ型鋼材で平面視コ字型にボルト締めの連結手段により形成された筐体の本体部１ｂと、図２（Ａ），（Ｂ）に示すように、該筐体の本体部１ｂにおいてコ字型で開口している一側面１ｆを閉じるようにして上・下位置に横架される繋ぎ梁４，５と、図３に示すように、前記筐体の本体部１ｂにおける左右側面から外部に張り出したブラケット１ｄの先端部１ｃに横架される、断面が箱形の嵌合用ブラケット６とで構成される。
【００２０】
前記上・下の繋ぎ梁４，５と前記嵌合用ブラケット６とは、前記筐体１ａの本体部１ｂに対してボルト接合、またはピン接合により着脱自在にされている。
【００２１】
前記ブラケット１ｄの先端部１ｃに架設されている横架材である嵌合用ブラケット６の上面には、この固定装置１が支持する外部養生装置２から突出されている腕部２ａ（図９−Ａ（Ａ），（Ｂ）、図９−Ｂを参照）の係合部に、着脱自在に嵌合するピン部材若しくはピン用穴が設けられている。
【００２２】
この実施例では、図４に示すように、ピン部材６ａを、嵌合用ブラケット６の上面に設けられた４箇所の固着穴６ｃに、当該ピン部材６ａの基部を挿入して固着するものである。なお、嵌合相手部材側の腕部２ａがピン部材を具備していれば、この嵌合用ブラケット６側にはピン用穴を設けるものである。
【００２３】
図４に示すように、２種類用意されるピン部材６ａ，６ｂには、調芯用のテーパ部６ｄが設けられている。嵌合時における位置合わせを容易にするためである。この２種類のピン部材は、テーパ部６ｄが根元まであるかどうかの相違による。
【００２４】
また、前記ピン部材６ａ，６ｂの基部の下端部にネジ部６ｉが刻設されている。前述のように、このピン部材６ａ，６ｂを前記ピン用穴に挿入した後に、図９−Ｂに示すように、前記ネジ部６ｉにナット６ｊを取り付けて固定するものである。また、ピン部材６ａ，６ｂの上部に設けた穴６ｍは、ピン定着用の穴であって、固定装置１と自昇降式外部養生装置２を嵌合させたときに、図１０に示す定着ピン９を差し込むのである。
【００２５】
なお、図３において示す符号６ｅは、筐体の本体部１ｂに、この嵌合用ブラケット６の上・下面および側面を、ボルトで固定するためのボルト穴を示している。
【００２６】
更に、図１（Ｂ），（Ｄ）と図２（Ｃ）とに示すように、筐体の本体部１ｂの下面において、床面に設置させるベースプレート１ｇが固着されている。また、図５に示すように、前記平面視コ字型に形成された筐体の本体部１ｂには、筐体の下部にキャスター６ｆが設けられて移動自在である。
【００２７】
前記キャスター６ｆには、図５（Ａ）に示すスペーサ６ｎが設けられている。このスペーサ６ｎは、支持軸に回動自在に設けられており、筐体の本体部１ｂおよびキャスター６ｆが床１６から持ち上げられた状態にて使用される。
【００２８】
即ち、前記スペーサ６ｎが、キャスター６ｆにおける車輪の上部位置に入り込むことで、図５（Ｂ）に示すように、筐体の本体部１ｂのベースプレート１ｇよりも下位置に当該車輪の位置が下がってキャスター６ｆがその移動機能を発揮する使用状態にされ、前記車輪の上部位置から回動されて外されると、前記車輪が上に移動できるようになって、前記ベースプレート１ｇが床１６に当接して設置され、キャスター６ｆがその移動機能を発揮しない不使用状態となる。
【００２９】
また、図５（Ａ），（Ｂ）に示すように、このキャスター６ｆの近傍に、該キャスター６ｆを床面から浮かせるためのフロアーストッパー６ｈが、筐体の本体部１ｂに例えば３箇所に設けられている。このフロアーストッパー６ｈにより、軸部であるロックボルト６ｇを介して当該ストッパー端部を、下に押し下げるように足などで踏み込むことで、筐体の本体部１ｂおよびキャスター６ｆが持ち上げられるものである。なお、前記フロアーストッパー６ｈに限らず、上下昇降手段として例えばジャッキ等の公知の手段を含むものである。
【００３０】
以上のように形成される固定装置１は、建物の柱３に固定するには、図６−Ａと図９−Ａとに示すように、前記キャスター６ｆを利用して前記柱３の側方から差し込むべく、前記補助斜材１ｅを含んで平面視コ字型に形成された筐体の本体部１ｂを、作業員の人力等で一方向から押して移動させて柱３に差し込む。
【００３１】
その後、フロアーストッパー６ｈの端部を押し下げて、筐体の本体部１ｂおよびキャスター６ｆを床１６から持ち上げる。そして、前記キャスター６ｆに介在しているスペーサ６ｎを回動させて外し、前記キャスター６ｆを上下方向でフリーにして不使用状態にする。
【００３２】
次に、前記フロアーストッパー６ｈを機能解除して筐体の本体部１ｂを床１６に下ろす。この時、図２（Ｃ）に示す２箇所のベースプレート１ｇが床１６に当接するのであるが、いずれか一方のベースペレート１ｇの下に、床１６の不陸によるレベル差を解消するために、調整用のプレートを差し込む。なお、このレベル調節を前記筐体の下部に設けるジャッキ等で行うようにしても良い。
【００３３】
その後、該筐体の本体部１ｂにおいてコ字型で開口している一側面１ｆを閉じるように、当該筐体の本体部１ｂの上・下位置に繋ぎ梁４，５をボルト結合により横架し、前記筐体の本体部１ｂにおける左右の側面から外部に張り出した前記支持用のブラケット１ｄの先端部１ｃ，１ｃ間に、着脱自在に嵌合するピン部材６ａ（または６ｂ）が設けられた嵌合用ブラケット６をボルト結合により横架する。
【００３４】
図６−Ｂ（Ａ）に示すように、柱３と筐体１ａとの間の隙間には、楔のようなライナープレート（若しくは押しボルト）７を打ち込んで、固定するものである。なお、超高層の建物では、上に行くほど柱３の大きさが細くなり、前記筐体１ａと柱壁面との間の隙間が多くなるので、図６−Ｂ（Ｂ）に示すように、筐体の本体部１ｂの組み付けにおいて幅を狭くして、更に、調整部材８を使用することで固定するものである。
【００３５】
前記固定装置１を矩形状の柱３に対しての設置方法を説明したが、この柱３が円形状の丸柱３の場合には、図６−Ｃ（Ａ），（Ｂ）に示すように、筐体の本体部１ｂに一例として固定補助具３ａ，３ｂを追加して、固定するものである。前記固定補助具３ａ，３ｂと丸柱３との間の隙間には、調整材としてのライナープレート若しくは押しボルト７を介在させて、固定するものである。
【００３６】
また、図６−Ｄ（Ａ），（Ｂ）に示すように、固定装置１をスラブ下の梁１７によって固定して設置する場合には、梁１７の下に梁受け金物１８ａを用意して、スラブ１６ａの位置決めした２箇所に孔を貫通させておく。そこに嵌合用ブラケット６を予め取り付けた筐体の本体部１ｂからＰＣ鋼棒１８を下ろして前記孔に挿通させ、前記梁受け金物１８ａを介して前記梁１７に反力をとって締め付けて、筐体の本体部１ｂをスラブ１６ａ上に固定して設置するものである。そして、筐体の本体部１ｂのベースプレート１ｇを後施工アンカー１９でスラブ１６ａに固定する。
【００３７】
更に、固定装置１をスラブに固定する場合には、図６−Ｅ（Ａ），（Ｂ）に示すように、スラブ１６ａの位置決め下２箇所に孔を貫通させておく。そして、嵌合用ブラケット６を予め取り付けた筐体の本体部１ｂを、移動させて位置決めして、該筐体の本体部１ｂから前記ＰＣ鋼棒１８を下ろして前記孔に挿通させて締め付けることでスラブ１６ａに反力をとり、筐体の本体部１ｂを固定して設置するものである。そして、筐体の本体部１ｂのベースプレート１ｇを後施工アンカー１９でスラブ１６ａに固定する。なお、図６−Ｅ（Ｃ）に示すように、前記スラブ１６ａの下面に、スラブ受け金物２０を介在させて、筐体の本体部１ｂを固定するようにすることが好ましいものである。
【００３８】
このような外部養生装置用固定装置の設置方法により、容易に固定装置１を建物側の一部分である柱やスラブ、梁等に固定でき、又、その脱着も容易であり、工期短縮となる。
【００３９】
次に、自昇降式外部養生装置２の構成は、図７乃至図８に示すように、内フレーム２ｄと、該内フレーム２ｄをスライド自在に内包する外フレーム２ｃと、前記内フレーム２ｄと外フレーム２ｃとのいずれか一方に設けられ、当該両フレームに係合する昇降手段のボールネジ２ｅを駆動させて、他方の前記フレームを一方の前記フレームに対して相対的に昇降させる昇降駆動手段である減速機付きの電動モータ２ｆと、図９−Ａに示すように、前記内フレーム２ｄと外フレーム２ｄｃのそれぞれから使用状態において建物側に向けて突出され、建物側に固定された固定装置１の嵌合用ブラケット６に係合する、各フレームにそれぞれ２箇所に設けられた腕部（実施例では、略９０度回転する一例を示しているので回転ピースとも言う）２ａ，２ｂとでなる。
【００４０】
前記腕部２ａ，２ｂには、前記固定装置１においてピン部材６ａ若しくはピン部材６ｂ（図４を参照）が設けられている嵌合用ブラケット６に、図９−Ｂ及び図９−Ｃに示すように、着脱自在に嵌合するピン用穴２ｊが設けられるとともに、当該腕部２ａ，２ｂを前記固定装置１の嵌合用ブラケット６と前記フレーム２ｃ，２ｄとの間で、当該腕部２ａ，２ｂを出没させる出没手段である、自重で回転する回転ブロック２ｋが設けられている。
【００４１】
前記合計４箇所の腕部２ａ，２ｂには、図９−Ｂに示すように、出没手段の回転ブロック２ｋによって出没された当該腕部２ａ，２ｂが、係合時若しくは脱着時に移動しないように防止する位置固定手段である回転ブロックストッパー２ｎが設けられている。なお、前記出没手段として、前記の実施例のほかに、油圧シリンダー等の駆動力で水平に前後移動又は横に回転移動するようにするなど、公知手段で実施することができる。
【００４２】
また、図９−Ｂと図１０とに示すように、前記腕部２ａ，２ｂには、建物側に固定された固定装置１の嵌合用ブラケット６に衝突して昇降作用の妨げになるのを防止する、テーパ部２ｍが設けられている。このようにしてなる自昇降式外部養生装置２と固定装置１とを図１０に示すように係合させて、超高層の建物を解体する場合の自昇降システムについて以下に説明する。
【００４３】
自昇降システム１５は、図１１に示すように、内フレーム２ｄと外フレーム２ｃとを昇降手段（ボールネジ２ｅ）及び昇降駆動手段（電動モータ２ｆ）とで昇降する外部養生装置２と、前記昇降駆動手段（電動モータ２ｆ）を駆動制御する制御盤１０と、前記制御盤１０を制御する中央演算処理装置（ＣＰＵ）を備えたコンピュータ１１及び該コンピュータ用の入力操作部でなる制御部１２ａ，１２ｂと、前記昇降駆動手段におけるボールネジ２ｅの回転量を検知する回転量検知手段（制御ソフト）と、前記両フレームの上下方向の位置を検知する位置検知手段１３ａ，１３ｂと、前記外フレーム２ｃの前記昇降駆動手段のボールネジ２ｅに対する荷重を測定する荷重検知手段であるロードセル１４とを具備してなる。
【００４４】
前記コンピュータ１１側の制御部１２ａでは、荷重の上限値、下限値を設定して制御盤１０を介して制御する。又、操作ＧＰ（グラフィックパネル）画面で操作する制御部１２ｂでは、一つの昇降養生足場のユニットを「連」として、その連の荷重の上下限の設定値の入力、連の速度差を示すレベル差の入力、作動箇所の選択、レベル・荷重制御のＯＮ／ＯＦＦ選択、電動モータ２ｆのＯＮ／ＯＦＦ、ボールネジ２ｅの動作量の表示、非常停止操作、などを行う。ロードセルの表示は、制御部１２ａ，１２ｂのいずれかで行う。各種データの伝送はＬＡＮケーブルで行われ、コンピュータ１１でデーターロガーを行う。この自昇降システムで最大２４連動させるシステムである。
【００４５】
前記制御部１２ｂとしての操作ＧＰ画面は、図１２に示すように、システムスタ−ト画面で起動表示が出るので、そこをタッチすることで運転画面となる。この図１２に示す運転画面には、各連における正（下降が正とする）・逆・停止の運転ランプ（ｇ）、連の選択スイッチ（イ）と表示ランプ（ｃ）、連の最速と最遅との差を示すレベル差グラフ（ｂ）、荷重ランプ（ｆ）、ストローク（ＳＴ）、下げ量表示部（ａ）その他のモード表示ボタン（ウ）、（エ）、レベル制御ＯＦＦ、レベルリセット、荷重制御ＯＦＦ（ア）、異常リセット（ｄ）等の項目用タッチボタンがある。
【００４６】
前記自昇降システム１５で前記自昇降式外部養生装置２を操作するには、図１２乃至図１３−Ａに示すように、前記運転画面から設定ボタンを押す。設定選択画面となり、そして、時刻設定した後、レベル制御設定ボタンを押す。数値をタッチパネルで入力した後、戻って、荷重設定画面に切り替え、数値入力をタッチパネルで行う。次に、自昇降式外部養生装置２の昇降操作を行う。
【００４７】
図１３−Ａに示すように、外フレーム２ｃ及び足場の下降操作では、最初に、操作盤接続の確認、エラーがないか否か、設定値の確認を行って、図１０にて示す定着ピン９を外して、更に、建物側への乗り込み通路などを撤去し、単管・番線などの繋ぎ材の撤去を確実に行って、確認する。
【００４８】
その後、外フレーム２ｃを一例として、２００ｍｍ上昇させて停止させる。このとき、外側の腕部（回転ピース）２ａは、回転ブロックストッパー２ｎで動かないように固定されているので、図１３−Ｂに示すように、嵌合用ブラケット６のピン部材６ａ（または６ａ）に引掛って曲げてしまうおそれがないものである。
【００４９】
そして、外側の腕部（回転ピース）２ａを下方向に回転させて回転ブロック２ｋの中に収納する。収納状態で前記腕部２ａが動いたりしないように、回転ブロックストッパー２ｎを差し込むなどして、固定する。
【００５０】
その後、外フレーム２ｃ及び足場を１階層分だけ連続下降させる。この場合、外フレーム２ｃおよび足場（図８に示す足場用台２ｉの上に載置される）は、連動させて一斉に運転して降下させるものである。そのために、各連の降下の最速の連と、最遅の連との速度のレベル差を管理するものである。なお、自昇降式外部養生装置として、一斉運転する範囲は、例えば、解体する建物の全周であったり、当該建物の一側面であったりするものである。これに対して、内フレーム２ｄは、各連毎に独立して降下させることができるものである。
【００５１】
前記外フレーム２ｃ及び足場の連続一斉降下した後、定着高さ確認をする。それには、定着位置の、一例として２００ｍｍ手前で停止させる。そこで、前記回転ブロックストッパー２ｎを外して外側の腕部２ａを取り出す。そして、再度、前記回転ブロックストッパー２ｎを回転ブロック２ｋと腕部２ａとの穴に貫通して差し込んで、腕部２ａが動かないように固定する。
【００５２】
そして、所定の位置まで連続降下操作する。自昇降式外部養生装置２の外側の腕部２ａと、固定装置１における嵌合用ブラケット６のピン部材６ａとが、テーパ部６ｄを有するピン部材６ａとピン用穴２ｊとの嵌合なので、自動調芯され位置合わせされるとともに嵌合作業の工期が短縮される。ピンの断面積を多くとることにより、接合部を少なくし、工期短縮する。また、ボルト・ナットによる締結構造を採用していないので、ボルト等の飛来落下が防止される。
【００５３】
その後、前記外フレーム２ｃにおいて、ピン部材６ａの上部の定着ピン用穴６ｍに定着ピン９を差し込んで、外側の腕部（回転ピース）２ａを定着させる。ピン部材６ａ若しくはピン部材６ｂと前記腕部２ａのピン用穴２ｊとの嵌合状態は、曲げ応力が応力が加わらないように、図１３−Ｃに示すように、ピンの根元とピンの穴とが嵌合する構造となっている。
【００５４】
次に、図１３−Ａに示すように、内フレーム２ｄの下降操作は、基本的には、外フレーム２ｃの場合と同じであり、最初に、操作盤の接続・点検、定着ピン９の取り外しを行う。
【００５５】
その後、移動時の支障がないか、更に設定値の確認をして、当該内フレーム２ｄを一例として２００ｍｍ上昇させる。そこで、回転ブロックストッパー２ｎの取り外して、内側の腕部２ｂを回転ブロック２ｋの中に収納する。再度、この収納した腕部２ｂが動かないように、回転ブロック２ｋと腕部２ａとの穴に前記回転ブロックストッパー２ｎを貫通して差し込む。
【００５６】
こうして、内側の腕部２ｂを回転ブロック２ｋ側に待避させて、内フレーム２ｄの下降に支障のないことを確認して、１階層分だけ連続下降操作する。この内フレーム２ｄに関しては、外フレーム２ｃに内包されているだけなので、一斉降下と各連毎の単独降下とが可能である。
【００５７】
その後、定着高さ確認をする。それには、定着位置の一例として２００ｍｍ手前で停止させる。そこで、前記回転ブロックストッパー２ｎを外して内側の腕部２ｂを取り出す。そして、再度、前記回転ブロックストッパー２ｎを回転ブロック２ｋと腕部２ａとの穴に貫通して差し込んで、外へ引き出した腕部２ａが動かないように固定する。
【００５８】
そして、所定の位置まで連続降下操作する。自昇降式外部養生装置２の内側の腕部２ｂと、固定装置１における嵌合用ブラケット６のピン部材６ａとが、ピン部材とピン用穴との嵌合なので、自動調芯されるとともに工期が短縮される。ボルト・ナットの締結による嵌合構造ではないので、ボルト等の飛来落下を防止する。その後、定着ピン９を内側の腕部２ｂから上に突出している定着ピン用穴６ｍに差し込んで、腕部２ｂを定着させる。
【００５９】
図１４−Ａに示すように、前記自昇降式外部養生装置２が、前記外フレーム２ｃと内フレーム２ｄとにより解体する建物の高層階から下に尺取虫のように降下するものである。なお、この自昇降式外部養生装置２においては、必ずしも足場を付随させるものではなく、単に養生部材を帳設した養生装置としての使用もできるものである。
【００６０】
前記自昇降式外部養生装置２の降下操作の途中で、図１４−Ｂに示すように、連のボールナジ２ｅの回転量計測によりレベルを検知し、その降下速度において、最大レベル差を超えると装置が停止し、ボールネジ２ｅの荷重計測（ロードセル）により設定した最大荷重・最小荷重を超えると装置が停止し、オーバーランなどがあると装置が停止し、そのような場合が生じたときには、それぞれ必要な処置・確認をして、更に操作ＧＰ画面から設定をするものである。
【００６１】
以上のように、自昇降式外部養生装置２と固定装置１とを使用した自昇降システム１５により、前記自昇降式外部養生装置２の腕部２ａ，２ｂと固定装置１のピン部材６ａ（６ｂ）との嵌合がスムーズに進められて、手間が掛からず、テーパ部があることにより位置合わせの自動調芯がなされ、迅速に嵌合されて工期短縮となるものである。
【００６２】
また、固定装置１においては、解体される側の柱３に筐体１ａが囲繞して固定され、例えば、支持用ブラケット１ｄに掛かる鉛直荷重により柱３から離れるような引張力に対して、図６−Ａに示すように、当該柱３を筐体１ａで囲うことで前記支持用ブラケット１ｄの回転・垂れを防止している。そして、そして、柱３から張り出している支持用ブラケット１ｄが筐体１ａに一体骨組となることで、変形が防止されている。
【００６３】
また、前記固定装置１は、柱３を囲繞するので、水平力の伝達も行える。この固定装置１は、前記自昇降式外部養生装置２の降下により、下の階に転用されるので、柱３からの解体や設置において、隙間の調整をライナープレート（押しボルト）７や調整部材８を用いて容易に調整できる。
【００６４】
また、前記固定装置１の筐体１ａの組立において、ボルト位置を変更することで迅速に柱３の大きさに対応させることができる。こうして、固定装置１の組立や設置に、信頼性の低い溶接などによる保持方法を用いることなく、自昇降式外部養生装置２を保持できるようになる。
【産業上の利用可能性】
【００６５】
本発明に係る自昇降式外部養生装置２や固定装置１とその設置方法は、建物の解体だけに限らず、新築にも広く適用することができる。
【符号の説明】
【００６６】
１          自昇降式外部養生装置用の固定装置、
１ａ        筐体、
１ｂ        筐体の本体部、                  １ｃ      先端部、
１ｄ        支持用ブラケット、              １ｅ      補助斜材、  
１ｆ        開口している一側面、            １ｇ      ベースプレート、
２          自昇降式外部養生装置、    
２ａ        外側の腕部（回転ピース）、
２ｂ        内側の腕部（回転ピース）、
２ｃ        外フレーム、
２ｄ        内フレーム、                    ２ｅ      ボールネジ、
２ｆ        電動モータ、                    ２ｇ      ナット、
２ｈ        近接スイッチ、                  ２ｉ      足場用台、
２ｊ        ピン用穴                        ２ｋ      回転ブロック、
２ｍ        テーパ部、                      ２ｎ      回転ブロックストッパー、    ３          建物側の柱、
３ａ，３ｂ  固定補助具、
４          上部の繋ぎ梁、
５          下部の繋ぎ梁、
６          嵌合用ブラケット、              ６ａ，６ｂ  ピン部材、  
６ｃ        固着穴、                        ６ｄ        テーパ部、
６ｅ        ボルト穴、                      ６ｆ        キャスター、
６ｇ        ロックボルト、                  ６ｈ        フロアーストッパー、
６ｉ        ネジ部、                        ６ｊ        ナット、
６ｍ        定着ピン用穴、                  ６ｎ        スペーサ、  
７          ライナープレート（押しボルト）、        
８          調整部材、
９          定着ピン、
１０        制御盤、
１１        コンピュータ、
１２ａ，１２ｂ    制御部、
１３        位置検知手段、
１４        ロードセル、
１５        自昇降システム、
１６        床、                            １６ａ      スラブ、
１７        梁、
１８        ＰＣ鋼棒、                      １８ａ      梁受け金物、  
１９        後施工アンカー、
２０        スラブ受け金物。
【図１】
0006009332.tif 000002
【図２】
0006009332.tif 000003
【図３】
0006009332.tif 000004
【図４】
0006009332.tif 000005
【図５】
0006009332.tif 000006
【図６−Ａ】
0006009332.tif 000007
【図６−Ｂ】
0006009332.tif 000008
【図６−Ｃ】
0006009332.tif 000009
【図６−Ｄ】
0006009332.tif 000010
【図６−Ｅ】
0006009332.tif 000011
【図７】
0006009332.tif 000012
【図８】
0006009332.tif 000013
【図９−Ａ】
0006009332.tif 000014
【図９−Ｂ】
0006009332.tif 000015
【図９−Ｃ】
0006009332.tif 000016
【図１０】
0006009332.tif 000017
【図１１】
0006009332.tif 000018
【図１２】
0006009332.tif 000019
【図１３−Ａ】
0006009332.tif 000020
【図１３−Ｂ】
0006009332.tif 000021
【図１３−Ｃ】
0006009332.tif 000022
【図１４−Ａ】
0006009332.tif 000023
【図１４−Ｂ】
0006009332.tif 000024
【図１５】
0006009332.tif 000025
【図１６】
0006009332.tif 000026